(57)【要約】【課題】有価証券類等に、所定方向に延びる万線状凸部でなる潜像部と、この潜像部と垂直方向に延びる万線状凸部でなる背景部とでなる凹版印刷物において、カラーコピー機を利用した偽造・複製が困難で、かつ斜視したときの潜像部にコントラストを付与して潜像部の顕像化効果が得られる偽造防止策を施した凹版印刷物の提供にある。【解決手段】凹版インキで印刷された、所定のピッチＰ１と線幅Ｗ１を有し、水平方向に延びる微細な万線状凸部１０でなる潜像部２０と、これと略同一ピッチＰ２と線幅Ｗ２を有し、該潜像部２０に対し垂直方向に延びる微細な万線状凸部１２でなる背景部２２とで構成される偽造防止策を施した凹版印刷物１において、前記凹版インキは、ＰＣＳ値０．３以下（Ｂフィルター）の淡色であり、該凹版インキには蛍光顔料が分散されている偽造防止策を施した凹版印刷物１である。【選択図】図１
2005335107.tif 000002
【特許請求の範囲】
【請求項１】
凹版インキで印刷された、所定のピッチと線幅を有し、所定の方向に延びる微細な万線状凸部でなる潜像部と、該潜像部と略同一ピッチと線幅を有し、該潜像部に対し垂直方向に延びる微細な万線状凸部でなる背景部とで構成される偽造防止策を施した凹版印刷物において、前記凹版インキで印刷された万線状凸部は、ＰＣＳ値で０．３以下（Ｂフィルター）の淡色であり、該凹版インキには光学可変性物質が分散されていることを特徴とする偽造防止策を施した凹版印刷物。
【請求項２】
前記光学可変性物質は、蛍光顔料であることを特徴とする請求項１記載の偽造防止策を施した凹版印刷物。
【請求項３】
所定のピッチと線幅を有し、所定の方向に延びる微細な万線状凸部でなる潜像部と、該潜像部と略同一ピッチと線幅を有し、該潜像部に対し垂直方向に延びる微細な万線状凸部でなる背景部とで構成される偽造防止策を施した凹版印刷物において、前記万線状凸部でなる潜像部もしくは該潜像部の一部と背景部の一部とで一連の画線を形成し、該一連の画線は光学可変性物質が分散されている凹版インキで形成され、該一連の画線以外の万線状凸部は、有色凹版インキで形成され、該有色凹版インキと前記光学可変性物質が分散されている凹版インキは可視光下では同一色を呈することを特徴とする偽造防止策を施した凹版印刷物。
【請求項４】
前記光学可変性物質は、蛍光顔料であることを特徴とする請求項３記載の偽造防止策を施した凹版印刷物。
【発明の詳細な説明】
【技術分野】
【０００１】
本発明は、凹版インキで印刷された凹版印刷物に関するものであり、特に、株券、商品券等有価証券の他、商品用の封印シールやタグ類に特殊な凹版インキと印刷技術によって偽造防止策を施した凹版印刷物に関する。
【背景技術】
【０００２】
従来、株券、商品券さらにはクレジットカード等有価証券類の他、商品用の封印シールやタグ類に至るまで偽造・複製による不正使用を防止するため、精巧な印刷技術による印刷（凹版印刷を含む）等が施されているのが一般的であったが、近年の偽造・複製による不正使用の頻発に鑑み、これら精巧な印刷等に加え特殊な偽造防止策が施されるようになってきた。
【０００３】
この特殊な偽造防止策として、例えばホログラムを貼付けるたり、紫外線で発色する材料や画像を施して紫外線照射で真偽判定をする方法などがあり、あるいは、金属箔層に万線方向が異なる万線状凹凸パターン群が複数集合したエンボスパターンを形成したもので、見る角度を変化させると万線状凹凸パターン群の濃淡や輝きが変化する、所謂オパール効果を有する画像体として有価証券類等に貼付けたりする方法や、さらには上記精巧な印刷技術を利用した技術の一つとして、有価証券等に微細なピッチの万線状凸部でなる潜像パターンが施されていて、真上等から見ると単なる細紋のように見えるが、有価証券を傾けたり視点を変えて観察すると潜像パターンが現れるという偽造防止技術（凹版印刷物）がある。
【０００４】
上記潜像パターンを有する凹版印刷物について、さらに詳しく説明すると、例えば図５（ａ）に示すように、文字「凸」のパターンの領域内は、横（水平）方向に延びる万線状凸部（１０）でなる潜像部（２０）とし、この潜像部（２０）以外の領域は、縦（垂直）方向に延びる万線状凸部（１２）でなる背景部（２２）とした凹版印刷物であり、この凹版印刷物を手前斜め上（視点Ａ）から観察すると、図５（ｂ）に示すように、潜像部（２０）である「凸」の文字が背景部（２２）上に顕像化される（浮かび上がって見える）。また、この凹版印刷物を後方斜め上（視点Ｂ）から観察すると、図５（ｃ）に示すように、潜像部（２０）である「凸」の上下逆文字が、背景部（２２）上に顕像化され（浮かび上がって見え）るものであり、さらに図５（ｄ）および図５（ｅ）に示すように、右側斜め上（視点Ｃ）および左側斜め上（視点Ｄ）から観察すると潜像部（２０）である「凸」の文字が背景部（２２）上に白く（ネガ状に）顕像化される（浮かび上がって見える）ようにもなるが、その他いずれの位置から観察しても単なる細紋としか見えない凹版印刷物がある（例えば、特許文献１参照。）。
【０００５】
以上いずれの方法も開発当時は、カラーコピー機やスキャナー等を駆使して複写物を作製しても、その複製は困難で偽造防止策として有効な技術であった。
【０００６】
以下に、上記先行技術文献を示す。
【特許文献１】特開２００２−１６６６８９号公報（段落０００３〜０００５、図４、図５）
【発明の開示】
【発明が解決しようとする課題】
【０００７】
しかしながら、最近では上記のホログラム技術や紫外線照射で真偽判定する技術は一般化されてきて、偽造・複製が比較的容易なものとなってきた。また、上記のオパール効果
を利用した技術においても比較的容易に万線形状を読み取ることができ、この技術と機械があれば偽造・複製が容易なものとなってきた。
【０００８】
さらにまた、上記の万線状凸部でなる潜像パターンを有する凹版印刷物は、斜視したときに潜像部にコントラストが必要なため、濃色（濃紺、濃茶等ＰＣＳ値０．５以上（Ｂフィルター））のインキで印刷を行う必要があり、このように濃色の凹版印刷物は、一般的に画線の深浅、幅、間隔で階調が表現される重厚さを有し、彫刻者の技術と設備が一般化されていないことから、凹版印刷による複製は困難であるが、潜像部のパターン自体は比較的単純な場合などでは、カラーコピー等による数回のトナーの重ね合わせによって、手触り感を含めある程度の再現（複写）が可能であるという問題点があった。
【０００９】
しからば淡色の凹版印刷物とすると、カラーコピーでは４色掛け合わせで色を再現するため、トナーを盛ることができず、よって偽造（複写）防止効果は高くなるが、上記のように潜像パターンを有する凹版印刷物とするには、潜像部のコントラスが不足し、潜像部のシャープ性のある顕像化効果が得られないという問題点があった。
【００１０】
本発明は、かかる従来技術の問題点を解決するものであり、その課題とするところは、有価証券類等に偽造防止策を施した凹版印刷物、特に所定方向に延びる万線状凸部でなる潜像部と、この潜像部と垂直方向に延びる万線状凸部でなる背景部とでなる凹版印刷物において、カラーコピー機を利用した偽造・複製が困難で、かつ斜視したときの潜像部にコントラストを付与して潜像部の顕像化効果が得られる偽造防止策を施した凹版印刷物を提供することにある。
【課題を解決するための手段】
【００１１】
本発明に於いて上記課題を達成するために、まず請求項１の発明では、凹版インキで印刷された、所定のピッチと線幅を有し、所定の方向に延びる微細な万線状凸部でなる潜像部と、該潜像部と略同一ピッチと線幅を有し、該潜像部に対し垂直方向に延びる微細な万線状凸部でなる背景部とで構成される偽造防止策を施した凹版印刷物において、前記凹版インキで印刷された万線状凸部は、ＰＣＳ値で０．３以下（Ｂフィルター）の淡色であり、該凹版インキには光学可変性物質が分散されていることを特徴とする偽造防止策を施した凹版印刷物としたものである。
【００１２】
また、請求項２の発明では、前記光学可変性物質は、蛍光顔料であることを特徴とする請求項１記載の偽造防止策を施した凹版印刷物としたものである。
【００１３】
また、請求項３の発明では、所定のピッチと線幅を有し、所定の方向に延びる微細な万線状凸部でなる潜像部と、該潜像部と略同一ピッチと線幅を有し、該潜像部に対し垂直方向に延びる微細な万線状凸部でなる背景部とで構成される偽造防止策を施した凹版印刷物において、前記万線状凸部でなる潜像部もしくは該潜像部の一部と背景部の一部とで一連の画線を形成し、該一連の画線は光学可変性物質が分散されている凹版インキで形成され、該一連の画線以外の万線状凸部は、有色凹版インキで形成され、該有色凹版インキと前記光学可変性物質が分散されている凹版インキは可視光下では同一色を呈することを特徴とする偽造防止策を施した凹版印刷物としたものである。
【００１４】
さらにまた、請求項４の発明では、前記光学可変性物質は、蛍光顔料であることを特徴とする請求項３記載の偽造防止策を施した凹版印刷物としたものである。
【００１５】
上記請求項１でいうＰＣＳ値とは、Ｐｒｉｎｔ  Ｃｏｎｔｒａｓｔ  Ｓｉｇｎａｌの略で、コントラストを相対反射率で表し、次式で計算される濃度であって、
ＰＣＳ＝（被印刷体の反射率）−（画線の反射率）／（被印刷体の反射率）
で表される。
【発明の効果】
【００１６】
本発明は以上の構成であるから、下記に示す如き効果がある。
【００１７】
即ち、上記請求項１に係る発明によれば、凹版インキで印刷された、所定のピッチと線幅を有し、所定の方向に延びる微細な万線状凸部でなる潜像部と、該潜像部と略同一ピッチと線幅を有し、該潜像部に対し垂直方向に延びる微細な万線状凸部でなる背景部とで構成される偽造防止策を施した凹版印刷物において、前記凹版インキをＰＣＳ値０．３以下（Ｂフィルター）の淡色とすることによって、カラーコピーでは数回の４色掛け合わせでもトナーを盛ることができず、よって偽造・複製が不可能で、さらにこの凹版インキには光学可変性物質を分散せしめることによって、この凹版印刷物を斜視した時に微細な万線状凸部でなる潜像部と背景部に前記光学可変性物質に応じた機器等を介してコントラストを付与するので、潜像部の顕像化効果をも高める偽造防止策を施した凹版印刷物とすることができる。
【００１８】
また、上記請求項２に係る発明によれば、前記光学可変性物質を、蛍光顔料とすることによって、可視光下では無色透明もしくはこれに近い極薄い色を呈し、特殊インキに応じた機器（ブラックランプ）下で十分な蛍光を発するような量を添加（分散）しても、ＰＣＳ値０．３以下の淡色を維持することができ、斜視した時の大きなコントラストを付与する偽造防止策を施した凹版印刷物とすることができる。
【００１９】
上記蛍光顔料に対し、他の光学可変性物質、例えば赤外線吸収物質やパール顔料あるいは高分子液晶偏光性顔料等も使用することができるが、斜視した時の大きなコントラストが得られるような量を添加（分散）すると、上記ＰＣＳ値０．３以下の淡色を維持することが困難である危惧があるので上記のように好ましくは蛍光顔料とするものである。
【００２０】
また、上記請求項３に係る発明によれば、所定のピッチと線幅を有し、所定の方向に延びる微細な万線状凸部でなる潜像部と、該潜像部と略同一ピッチと線幅を有し、該潜像部に対し垂直方向に延びる微細な万線状凸部でなる背景部とで構成される偽造防止策を施した凹版印刷物において、前記万線状凸部でなる潜像部もしくは該潜像部の一部と背景部の一部とで一連の画線を形成し、その一連の画線を光学可変性物質が分散されている凹版インキで形成し、これ以外の万線状凸部を、有色凹版インキで形成し、この有色凹版インキと前記光学可変性物質を含む凹版インキとは同色を呈する所謂色分け印刷を行うことによって、カラーコピーでは数回のトナーを盛ることで手触りを含め可視光下では潜像効果のあるものとして複製されたように見えるが、光学可変性物質に応じた機器等を介したときの一連の画線が発色して浮かび上がるという偽造・複製が困難な偽造防止策を施した凹版印刷物とすることができる。
【００２１】
さらにまた、上記請求項４に係る発明によれば、前記光学可変性物質を、蛍光顔料とすることによって、可視光下では有色を呈し、光学可変性物質に応じた機器（ブラックランプ）下では、万線状凸部でなる潜像部もしくは該潜像部の一部と背景部の一部とでなる一連の画線が蛍光を発して浮き上がって見えるようになるので、偽造・複製がより困難な偽造防止策を施した凹版印刷物とすることができる。
【００２２】
なお、上記蛍光顔料に対し、他の光学可変性物質、例えば赤外線吸収物質やパール顔料あるいは高分子液晶偏光性顔料等も使用することができるが、斜視した時の大きなコントラストが得られないという危惧があるので、上記のように好ましくは蛍光顔料とするものである。
【００２３】
従って本発明は、凹版インキで印刷された偽造防止策を施した凹版印刷物として、特に株券、商品券等有価証券類の如き用途において、優れた実用上の効果を発揮する。
【発明を実施するための最良の形態】
【００２４】
以下本発明を実施するための最良の形態を図面を用いて詳細に説明する。
【００２５】
図１は、本発明の偽造防止策を施した凹版印刷物の一実施の形態を示す正面図であり、図２は、本発明の偽造防止策を施した凹版印刷物を斜視した時の一実施の形態を示す正面図であり、図３および図４は、本発明の偽造防止策を施した凹版印刷物の他の一実施の形態を示す正面図である。
【００２６】
本発明の偽造防止策を施した凹版印刷物は、例えば図１（ａ）の拡大説明図に示すように、凹版インキで印刷されている偽造防止策を施した凹版印刷物（１）であり、微細なピッチ（Ｐ１）と幅（Ｗ１）を有し、水平方向に延びる万線状凸部（１０）でなる「凸」文字の潜像部（２０）と、この潜像部（２０）以外の領域で、潜像部（２０）と略同一ピッチ（Ｐ２）と幅（Ｗ２）を有し、この潜像部（２０）の水平方向に延びる万線状凸部（１０）に対し垂直方向に延びる万線状凸部（１２）でなる背景部（２２）とで構成されている凹版印刷物（１）である。
【００２７】
そこで上記請求項１に係る発明では、図１（ａ）に示すように、この偽造防止策を施した凹版印刷物（１）を形成している「凸」文字の潜像部（２０）およびそれ以外の領域の背景部（２２）の万線状凸部（１０、１２）が、ＰＣＳ値０．３以下（Ｂフィルター）の淡色の凹版インキで印刷されているものである。
【００２８】
さらに、この凹版インキには光学可変性物質が分散されているもので、この光学可変性物質としては、パール顔料、赤外線吸収物質、あるいは偏光コレステリック高分子液晶顔料等を用いることもできるが、これら光学可変性物質は、十分な光学可変性を示し、かつＰＣＳ値０．３以下を維持するのは容易とは言えない。
【００２９】
そのため、上記請求項２に係る発明では、この光学可変性物質を蛍光顔料としたものである。
【００３０】
このように、光学可変性物質を、蛍光顔料とすることによって、図２（ａ）に示すように、「凸」文字の潜像部（２０）およびそれ以外の領域の背景部（２２）の万線状凸部（１０、１２）ともに可視光下では無色透明もしくはこれに近い極淡い（黄、緑等）色を呈するが、ブラックランプ（５０）下で十分な蛍光を発するような量を添加（分散）しても、ＰＣＳ値０．３以下の淡色を維持することが容易にできる効果がある。
【００３１】
従って例えば光学可変性物質として蛍光顔料が分散され、かつＰＣＳ値０．３以下（Ｂフィルター）の淡色の凹版インキで印刷されている図１（ａ）に示す偽造防止策を施した凹版印刷物（１）を、真上等から可視光下で観察すると全体に淡い色に見え、たとえ万線状凸部（１０）でなる潜像部（２０）を有する凹版印刷物（１）と気が付いて、手前斜め上（視点Ａ）から可視光下で観察しても、例えば図１（ｂ）に示すように、潜像部（２０）とそれ以外の領域の背景部（２２）にコントラストがないため全体に淡い色に見えるだけで潜像部（２０）の顕像化（浮き上がって見える）効果がなく、偽造防止策には気付かないものである。
【００３２】
また、たとえこの偽造防止策を施した凹版印刷物（１）が蛍光インキで印刷されていると気付いた場合でも、例えば図２（ａ）に示すように、ブラックランプ（５０）を照射して真上等から観察しても全体が蛍光を発する細紋等に見えるだけで、潜像部（２０）を有
する凹版印刷物という偽造防止策には気付かないものとすることができる。
【００３３】
しかし、例えば販売所等真偽判定をする側で、専用の判定機器としてブラックランプ（５０）を用いて手前斜め上（視点Ａ）から観察すると、例えば図２（ｂ）に示すように、「凸」文字の潜像部（２０）およびそれ以外の背景部（２２）の万線状凸部（１０、１２）が、十分な蛍光を発して（図面では黒くなっているが実質的には黄色や緑色等の蛍光色となっている）、コントラストの高い「凸」文字の潜像部（２０）が背景部（２２）上に浮かび上がって見えるようになるものである。
【００３４】
また、後方斜め上（視点Ｂ）から観察すると（図示しないが）「凸」の上下逆文字が浮かびあがり、右左側斜め上（視点Ｃ、視点Ｄ）から観察すると、潜像部（２０）である「凸」の文字が背景部（２２）上に黄色や緑色等の鮮やかな蛍光色となって浮かび上がって見えるようになるものである。
【００３５】
上記潜像部（２０）および背景部（２２）を形成する万線状凸部（１０、１２）のピッチ（Ｐ１、Ｐ２）は、０．１〜１．０ｍｍ、線幅（Ｗ１、Ｗ２）は、０．０２〜０．６の範囲で、好ましくはピッチ（Ｐ１、Ｐ２）０．２５ｍｍ、線幅（Ｗ１、Ｗ２）０．１ｍｍであり、その高さ（盛り量）はこれらピッチと線幅に応じて１０〜１００μｍの範囲が一般的である。
【００３６】
また、上記請求項３および請求項４に係る発明は、例えば図３（ａ）に示すように、水平に延びる万線状凸部（１０）でなる「凸」の文字の潜像部（２０）と、この潜像部（２０）以外の領域で垂直方向に延びる万線状凸部（１２）でなる背景部（２２）で構成される偽造防止策を施した凹版印刷物（１）において、例えば図４に示すように、水平に延びる万線状凸部（１０）でなる「凸」の文字の下部（１０ａ）と垂直方向に延びる万線状凸部（１２）でなる背景部（２２）の一部（１２ａ）とで形成される一連の画線「凹」の文字が蛍光凹版インキで印刷され、この一連の画線「凹」の文字以外の万線状凸部（１０、１２）は通常の有色凹版インキで印刷されていて、両者（蛍光凹版インキと通常の有色凹版インキで印刷された万線状凸部）とも可視光下では同一色を呈するようにしたものである。
【００３７】
上記の偽造防止策を施した凹版印刷物（１）を可視光下で観察すると、図３（ａ）に示すように、有色の単なる細紋様に見えるだけであるが、これを手前斜め上（視点Ａ）から可視光下で観察すると、図３（ｂ）に示すように、潜像部（２０）が顕像化され、背景部（２２）中に「凸」の字となって浮き上がって見えるようになる。
【００３８】
また、図３（ａ）に示す偽造防止策を施した凹版印刷物（１）をブラックランプ（５０）の下で観察すると、図４に示すように、潜像部（２０）の「凸」の文字の下部（１０ａ）と背景部（２２）の一部（１２ａ）とでなる一連の文字「凹」が蛍光を発し、有色の細紋様の部分から浮かび上がって見えるようになる。
【００３９】
このように、可視光下では同色の、蛍光凹版インキと通常の有色凹版インキとで色分け印刷することによって、より偽造・複製を困難にし、さらにデザイン性にも優れる偽造防止策を施した凹版印刷物（１）とすることができる。
【００４０】
なお、図３（ａ）、（ｂ）および図４に示す水平に延びる万線状凸部（１０）でなる「凸」の文字の下部（１０ａ）と垂直に延びる万線状凸部（１２）でなる背景部（２２）の一部（１２ａ）とで形成される一連の画線「凹」の文字を形成する蛍光凹版インキに代え、他の光学可変性物質、例えば赤外線吸収物質やパール顔料あるいは高分子液晶偏光性顔料が分散している凹版インキとすることもできる。
【００４１】
上記赤外線吸収物質が含有する凹版インキによる凹版印刷物の場合は、赤外線モニター（例えば赤外カメラ搭載）で、パール顔料の場合は可視光下で、高分子液晶偏光性顔料の場合は偏光フィルターを介して真偽等の検証ができる。
【００４２】
上記光学可変性物質である蛍光顔料としては、蛍光染料と合成樹脂固溶体でなる有機蛍光顔料で、その蛍光染料には、例えば昼光下では黄色を、ブラックライト下では緑から黄緑色を呈するブリリアントスルホフラビンＦＦ、チオフラビン、ベーシックイエローあるいはフルオレセインなどが挙げられ、これら蛍光染料の坦体となる合成樹脂には、ポリメタクリル酸エステル、尿素、ホルマリン樹脂、メラミン・ホルマリン樹脂、塩化ビニル、塩ビ−酢ビ共重合体、アルキッド樹脂およびそれら変性したものなどが挙げられる。
【００４３】
また、２００〜３００ｎｍの波長域の光にのみ発光するＺｎ２  ＳｉＯ４  ／Ｍｎ、ＣａＷＯ４  等でなる耐熱性のある無機系蛍光顔料があり、上記有機蛍光顔料または無機系蛍光顔料を凹版印刷インキのビヒクルに、２０％程度分散させて凹版印刷用の蛍光印刷インキとし、それぞれの万線状凸部（１０、１２）を形成することができる。
【００４４】
なお、他の光学可変性物質である赤外線吸収物質としては、赤外光波長領域のみ吸収するもので、例えば五二酸化リンを主成分とし酸化鉄或いは酸化銅或いは両者を含むリン酸結晶粉末、五二酸化リンを主成分としＦｅ２＋またはＣｕ２＋イオンを含むガラス系粉末、金属錯体の赤外線吸収材、シアニン系、フタロシアニン系、ナフタロシアニン系、アントラキノン系、コロニックメチン系、アズレオニオム系、ピリリウム系等の赤外線吸収染料が挙げられ、インキとするバインダーとしては、ポリ塩化ビニル、酢酸ビニル−塩化ビニル共重合体、ポリアクリル、ポリスチレン、ポリアミド等樹脂が挙げられる。
【００４５】
また、他の光学可変性物質であるパール顔料としては、例えば、無毒性で唯一の有機化合物である天然パールエッセンス、最も理想的な形状を持つ塩基性炭酸鉛、無毒性で、結晶の形状が不規則な酸塩化ビスマス、無毒性で、天然マイカを酸化チタンや酸化鉄などの金属酸化物で被覆したものが挙げられるが、高価であること、耐酸性、耐硫化性に劣る等から後者の天然マイカの金属酸化物でなる微粒子が印刷物の実用としては好適なものである。
【００４６】
さらにまた、他の光学可変性物質である高分子液晶偏光性顔料としては、例えば右偏光性コレステリック高分子液晶顔料及び／又は左偏光性コレステリック高分子液晶顔料が挙げられ、この高分子液晶偏光性顔料が分散しているインキ層に円偏光板を通して見ると、光沢感のあるカラーシフト（例えば緑色から青色に等）した印刷物として視認され、デザイン効果を向上させるものとすることもできる。
【図面の簡単な説明】
【００４７】
【図１】本発明の偽造防止策を施した凹版印刷物の一実施の形態を示すもので、（ａ）は、その正面図であり、（ｂ）は、視点Ａから可視光下で観察した時の正面図である。
【図２】本発明の偽造防止策を施した凹版印刷物の一実施の形態を示すもので、（ａ）は、その正面図であり、（ｂ）は、視点Ａからブラックランプ下で観察した時の正面図である。
【図３】本発明の偽造防止策を施した凹版印刷物の他の一実施の形態を示すもので、（ａ）は、可視光下で観察した時の正面図であり、（ｂ）は、可視光下で視点Ａから観察した時の正面図であり、
【図４】図３に示す偽造防止策を施した凹版印刷物をブラックランプ下で観察した時の正面図である。
【図５】従来の偽造防止策を施した凹版印刷物の一事例を示すもので、（ａ）は、その正面図であり、（ｂ）は、視点Ａから可視光下で観察した時の正面図であり、（ｃ）は、視点Ｂから可視光下で観察した時の正面図であり、（ｄ）は、視点Ｃから可視光下で観察した時の正面図であり、（ｅ）は、視点Ｄから可視光下で観察した時の正面図である。
【符号の説明】
【００４８】
１‥‥偽造防止策を施した凹版印刷物
１０‥‥潜像部の万線状凸部
１０ａ‥‥潜像部の万線状凸部の一部
１２‥‥背景部の万線状凸部
１２ａ‥‥背景部の万線状凸部の一部
２０‥‥潜像部
２２‥‥背景部
５０‥‥ブラックランプ
Ｐ１‥‥潜像部の万線状凸部のピッチ
Ｐ２‥‥背景部の万線状凸部のピッチ
Ｗ１‥‥潜像部の万線状凸部の線幅
Ｗ２‥‥背景部の万線状凸部の線幅
【図１】
2005335107.tif 000003
【図２】
2005335107.tif 000004
【図３】
2005335107.tif 000005
【図４】
2005335107.tif 000006
【図５】
2005335107.tif 000007